Podtech/llm-jp-corpus-v4-ja_patent huggingface dataset:
(57)【要約】【課題】男性用排尿補助具を衛生的に携帯し易くする。【解決手段】  一端に陰茎の挿入口を、他端に排尿出口を備えた紙製筒状の排尿補助具において、前記補助具は、使用後の補助具を収容する袋を有し、該袋は、一端底側が補助具の胴部に固着され、かつ底側と反対側の袋の他端開口から片手を挿入して補助具を摘んだ状態での袋の裏返し操作によって補助具全体を隠蔽収容させる、柔軟防水地にて形成されて、補助具の胴部に引出自在に折畳み状に沿設さていることを特徴とする。【選択図】    図２
2007117690.tif 000002
【特許請求の範囲】
【請求項１】
一端に陰茎の挿入口を、他端に排尿出口を備えた紙製筒状の排尿補助具において、前記補助具は、使用後の補助具を収容する袋を有し、該袋は、一端底側が補助具の胴部に固着され、かつ底側と反対側の袋の他端開口から片手を挿入して補助具を摘んだ状態での袋の裏返し操作によって補助具全体を隠蔽収容させる、柔軟防水地にて形成されて、補助具の胴部に引出自在に折畳み状に沿設さていることを特徴とする排尿補助具。
【請求項２】
請求項１記載の袋が、指挿入部を有する手袋形状に形成されていることを特徴とする排尿補助具。
【発明の詳細な説明】
【技術分野】
【０００１】  本発明は、男性用の排尿補助具の技術分野に係わるものである。
【背景技術】
【０００２】  排尿力が弱くなった男性の排尿を、便器外に飛散させないようにする排尿補助具として、従来下記の文献のものが知られている。
【特許文献】実用新案登録  第３０７９４９５号  公報
【発明の開示】
【発明が解決しようとする課題】
【０００３】  上記特許文献に示されるように、一端に陰茎の挿入口を、他端に排尿出口を備えた筒状の排尿補助具は既に知られているが、このものは、使用後廃棄のため持ち帰ろうとすると、むき出しなので尿滴で手や服などを汚してしまうという問題があった。【０００４】  また、使用者本人が上記補助具を自分で操作できない場合、介護者が手を添えてやらねばならないが、手が汚れるので介護者もこれを嫌う傾向がある。
【課題を解決するため手段】
【０００５】  上記課題を解決するため、本発明の排尿補助具では各請求項記載の手段を採用する。
【０００６】  即ち、請求項１では一端に陰茎の挿入口を、他端に排尿出口を備えた紙製筒状の排尿補助具において、前記補助具は、使用後の補助具を収容する袋を有し、該袋は、一端底側が補助具の胴部に固着され、かつ底側と反対側の袋の他端開口から片手を挿入して補助具を摘んだ状態での袋の裏返し操作によって補助具全体を隠蔽収容させる、柔軟防水地にて形成されて、補助具の胴部に引出自在に折畳み状に沿設さていることを特徴とする。
【０００７】  この手段では、補助具に袋を取付け、袋を介して補助具を摘むので、補助具に付着した尿滴が手に付着することがなく、衛生的であり、また使用後は補助具を袋に入れて持ち帰り処分することができる。
【０００８】  請求項２によれば、袋が手袋形状に形成されているので、補助具の袋への収容操作が極めて楽になる。
【発明の効果】
【０００９】  本発明の排尿補助具は、使用後は袋内に収容して持ち帰り、袋ごと、処分することができる。また持ち帰り途上でも衣服を汚すことがない。また、介護者により陰茎にセットして貰うにも、恥じらいがない。
【発明を実施するための最良の形態】
【００１０】  以下に、本発明に関する排尿補助具を実施するための最良の形態を図面に基づいて説明する。
【実施例】
【００１１】  図１、２において１はテーパ筒状の紙製の補助具本体で、この本体の径太の一端には陰茎挿入口２が、径細側の他端には排尿口３が設けられている。【００１２】  陰茎挿入口２の上壁部には、陰茎の挿入操作を容易にするための弧状の切欠き４が設けられている。【００１３】  補助具本体１の下壁部外面には、補助具本体を包み込み状に収容する柔軟なビニールフィルムからなる袋５の底部が固着部５ａにより単純に固着されている。【００１４】  袋５は、図４のような手袋形状でも良く、この場合、指先側が底部となって補助具本体１に固着される。【００１５】  また前記袋５には粘着テープからなる止め片６が延出状に設けられている。【００１６】  陰茎挿入口２の下壁部内面には、陰茎の抜き去り時に陰茎と接触する滴拭掃用の柔軟パット７が設けられている。【００１７】  図３は、図１，図２に示す補助具１の折畳み状態を示し、補助具の携帯時とか、不使用状態では図３のように補助具１を長手方向と直交的に２つ折りして短くコンパクトに折り畳まれ、またこの状態では袋５は補助具１の裏側に沿当て状に折り畳まれ、そして止め片６で固定され携帯に便なるようにしてある。【００１８】  使用態様としては、図２のように挿入口２に陰茎を挿入し、よって尿は排尿口３から放尿され、便器に流入される。放尿後は、補助具１は以下のように処理される。【００１９】  即ち、図２の状態で補助具１に折畳み状に沿接されている袋５を図４のように垂れ下げ、そして袋５の下端開口から介護者等が片手を挿入して補助具を袋を介して摘み、この状態で袋５を裏返し操作すると、図５のように袋５の上向きに突出状に開口し、この状態で突出した袋部分を図６のように補助具１に沿って捲き付け状に折畳み、以て補助具１は袋５に収容され、使用後の補助具から尿漏れはなくなり、収容状態でポケットなどに入れて持ち帰り、処分すればよい。
【産業上の利用可能性】
【００２０】  手袋付きの使い捨て漏斗としても利用できる。
【図面の簡単な説明】
【００２１】
【図１】本発明に係わる排尿補助具の実施例を示す一部切断平面図である。
【図２】図１の側断面図である。
【図３】図１、図２に示す排尿補助具の２つに折畳み状態の斜面図である。
【図４】図２で袋を垂下した状態の斜面図である。
【図５】図４の袋を裏返した状態の断面図である。
【図６】図５の袋を巻付け状に折畳んだ状態の断面図である。
【符号の説明】
【００２２】  １    補助具本体
２    陰茎挿入口
３    排尿口
４    切欠き
５    袋
６    止め片
【図１】
2007117690.tif 000003
【図２】
2007117690.tif 000004
【図３】
2007117690.tif 000005
【図４】
2007117690.tif 000006
【図５】
2007117690.tif 000007
【図６】
2007117690.tif 000008
(57)【要約】      （修正有）【課題】従来の、車輪つき牽引用鞄を雨のときにひくときは、屋内では傘を持つ手と鞄を引っ張る手で両手が塞がった。以上の欠点をなくすためになされたものである。【解決手段】鞄の側面に傘を差し入れる場所（ａ）（ｂ）を設けて雨天時の屋内では傘をその場所に収納する。【選択図】  図１
2007117687.tif 000002
【特許請求の範囲】
【請求項１】
車輪のついた牽引鞄の側面に、傘を刺すことができるように、部品をつけたもの。または、既存の上記牽引鞄に後から取り付ける傘を刺すための部品
【発明の詳細な説明】
【技術分野】
【０００１】    この発明は、車輪付き牽引鞄を引っ張って歩くときに、傘を手で持たなくても良いように、鞄の側面に傘を刺すようの部品をつけた鞄、もしくは、既存の鞄に取り付ける傘刺し用部品である。
【背景技術】
【０００２】    雨の日に、車輪付の鞄を牽引しているとき、屋内では傘を閉じて手に持って歩くと両手が塞がる。
【発明の開示】
【発明が解決しようとする課題】
【０００３】これは次のような問題があった。
一方の手で鞄をひき、もう一方で傘を手で持たなければいけないので不便である。
本発明は、以上の欠点をなくすためになされたものである。
【課題を解決するための手段】
【０００４】車輪付きの鞄の側面に、傘を刺せる部品を取り付けた鞄を製造。又は、既存の鞄の側面に取り付けることが可能な部品を作成。
【発明の効果】
【０００５】屋内に入り傘をたたんだ後は、その側面の部分に傘を刺しいれて片手で鞄を牽引するだけで両手が塞がらない。
【発明を実施するための最良の形態】
【０００６】  以下、本発明の実施例について説明する。
１）本発明を採用した鞄を製造する場合、
【図１】
のように大小二つの筒状の傘差し入れ口を取り付ける。
２）既存の鞄には、
【図３】
のように大小二つの筒状の傘差し入れ口が付いた布状の部品を作成して、更に、裏地には熱で接着剤が溶けて接着できる接着面にする。それを鞄の側面にアイロンで接着する。もしくは、単純に接着剤で貼り付ける。
【図面の簡単な説明】
【０００７】
【図１】本発明最良の状態１）の側面図である。
【図２】本発明最良の状態１）の斜視図である。
【図３】本発明最良の状態２）の側面図である。
【図４】本発明最良の状態２）の斜視図である。
【符号の説明】
【０００８】本体（１）上部（ａ）
本体（１）下部（ｂ）
本体（２）上部（ｃ）
本体（２）下部（ｄ）
本体（２）土台（ｅ）
本体（２）接着面（ｆ）
【図１】
2007117687.tif 000003
【図２】
2007117687.tif 000004
【図３】
2007117687.tif 000005
【図４】
2007117687.tif 000006
(57)【要約】【課題】  棚板に載置される飾り徳利だけをピンポイントで照明して礼拝時における荘厳さを増すことができる人体に無害で安価な厨子等における飾り徳利の照明装置を提供すること。【解決手段】  厨子等の箱体内の透明又は半透明の棚板に載置される透明又は半透明の飾り徳利を照明する厨子等における飾り徳利の照明装置であって、飾り徳利を照明する発光ダイオード等の照明器具を前記飾り徳利に対応する位置にスライド自在に装着したことを特徴とする。【選択図】        図１
2007117686.tif 000002
【特許請求の範囲】
【請求項１】
厨子等の箱体内の透明又は半透明の棚板に載置される透明又は半透明の飾り徳利を照明する厨子等における飾り徳利の照明装置であって、飾り徳利を照明する発光ダイオード等の照明器具を前記飾り徳利に対応する位置にスライド自在に装着したことを特徴とする厨子等における飾り徳利の照明装置。
【発明の詳細な説明】
【技術分野】
【０００１】  本発明は、厨子等における飾り徳利の照明装置に関するものである。
【背景技術】
【０００２】  従来から厨子等の箱体内に載置される透明又は半透明の飾り徳利を上方から照明する厨子等における飾り徳利の照明装置は公知である。
【発明が解決しようとする課題】
【０００３】  然しながら、従来の厨子等における飾り徳利の照明装置にあっては、飾り徳利が載置された棚板の上方に蛍光灯を取り付けるものであったため、棚板に載置される飾り徳利だけでなく、全体が明るくなるだけで礼拝時における荘厳さに欠けるという問題点があった。
【０００４】  また、飾り徳利だけを光らせる方法としてブラックライトを利用する方法もあるが、この方法では飾り徳利を紫外線で光る材料で成形する必要があり、ブラックライトの設備費と合わせて高価となる問題点があるだけでなく、ブラックライトから紫外線が出され、人体に有害となる問題点があった。
【発明の目的】
【０００５】  本発明は、棚板に載置される飾り徳利だけをピンポイントで照明して礼拝時における荘厳さを増すことができる人体に無害で安価な厨子等における飾り徳利の照明装置を提供することを目的とするものである。
【課題を解決するための手段】
【０００６】  本発明に係る厨子等における飾り徳利の照明装置は、厨子等の箱体内の透明又は半透明の棚板に載置される透明又は半透明の飾り徳利を照明する厨子等における飾り徳利の照明装置であって、飾り徳利を照明する発光ダイオード等の照明器具を前記飾り徳利に対応する位置にスライド自在に装着したことを特徴とするものである。
【発明の作用】
【０００７】  棚板に載置される飾り徳利だけをピンポイントで照明して礼拝時における荘厳さを増すことができる。
【発明の実施の態様】
【０００８】  本発明の実施の態様を図面について具体的に説明する。
【０００９】  図１は、本発明に係る装置を見れる状態にした厨子の一部切裁斜視図、図２は、本発明装置の正面図、図３は、照明器具の取付状態を表わす要部斜視図、図４は、照明器具の取付状態の他の実施例を表わす要部斜視図である。
【００１０】  １は、厨子本体であって、前方の開口部が観音開きの扉で開閉されるようになっており、底板１−１の上に後述する棚板が載置される棚受枠１−２が固定されている。
【００１１】  ２は、後述する飾り徳利が載置される透明又は半透明の棚板で、摘みを握って前記棚受枠１−２に着脱自在に取り付けられるようになっている。
【００１２】  棚板２を着脱自在に取り付ける理由は、下方にある後述する照明器具の位置を後から変えることができるようにするためである。
【００１３】  ３は、上記棚板２に載置される飾り徳利であって、透明又は半透明の合成樹脂で成形され、上記棚板２上のどの位置にも置けるようになっている。
【００１４】  ４は、前記棚受枠１−２の下面の一部に取り付けられた後述する照明器具の取付金具で、長手方向に２つの長孔４−１、４−１が形成されている。
【００１５】  ５は、前記飾り徳利３を照射する照明器具たる発光ダイオードで、光の拡散を防止するためにシェード５−１を被せておいてもよい。
【００１６】  発光ダイオード５は、ソケット部がベース５−２に取り付けられ、前記取付金具４の長孔４−１を貫通し、ベース５−２の一部に形成された螺孔に螺合するネジ５−３を締めることによって長孔４−１の任意の位置で発光ダイオード５を固定することができるようになっている。
【００１７】  次に、本発明の上記構成に従い図示する実施例について本発明装置の具体的用法並びに作用を説明する。
【００１８】  棚板２を棚受枠１−２の所定個所に載置した状態で飾り徳利３、３を置く場所を決めた後、一旦、棚板２を取り外し、発光ダイオード５のベース５−２をスライドさせて予め飾り徳利３、３を置く場所と決めた位置の直下となる位置でネジ５−３を締めて発光ダイオード５を取付金具４に固定する。
【００１９】  発光ダイオード５を取付金具４に固定した後、再び棚板２を棚受枠１−２の所定個所に載置し、ネジを締めて棚板２を棚受枠１−２に固定することによって発光ダイオード５即ち照明器具の取り付けが完了する。
【００２０】  つまり、発光ダイオード５を点灯させて棚板２の光る部分に飾り徳利３を載置してやれば飾り徳利３だけが光るものである。
【発明の効果】
【００２１】  以上述べた如く、本発明に係る厨子等における飾り徳利の照明装置によれば、厨子等の箱体内の透明又は半透明の棚板に載置される透明又は半透明の飾り徳利を照明する厨子等における飾り徳利の照明装置において、飾り徳利を照明する発光ダイオード等の照明器具を前記飾り徳利に対応する位置にスライド自在に装着したものであるから、棚板に載置される飾り徳利だけをピンポイントで照明して礼拝時における荘厳さを増すことができる人体に無害で安価な厨子等における飾り徳利の照明装置を提供することができることとなったものである。
【００２２】  尚、本実施例にあっては、照明器具を飾り徳利に対応する位置にスライド自在に装着する方法として発光ダイオード等の照明器具を取付金具の長孔を貫通し、照明器具のベースの一部に形成された螺孔に螺合するネジを締めることによって長孔の任意の位置で照明器具を固定する方法を採用したが、取付金具を鉄製のものとし、照明器具のベースを図４に示されるように永久磁石とすれば取付金具の任意の位置で照明器具を吸着固定できるものであって、照明器具を飾り徳利に対応する位置にスライド自在に装着するという要旨に変わりがないものである。
【図面の簡単な説明】
【００２３】
【図１】  本発明に係る装置を見れる状態にした厨子の一部切裁斜視図である。
【図２】  本発明装置の正面図である。
【図３】  照明器具の取付状態を表わす要部斜視図である。
【図４】  照明器具の取付状態の他の実施例を表わす要部斜視図である。
【符号の説明】
【００２４】  １          厨子本体
２          棚板
３          飾り徳利
４          発光ダイオード
【図１】
2007117686.tif 000003
【図２】
2007117686.tif 000004
【図３】
2007117686.tif 000005
【図４】
2007117686.tif 000006
(57)【要約】【課題】  この発明は、浴槽内で座椅子等に腰掛け、水深を浅く寛いだ姿勢で入浴を可能とする入浴具。【解決手段】  浴槽内にシ−ト状水槽を入れ、両者間に入浴具を介在設置する。【選択図】図１
2007117699.tif 000002
【特許請求の範囲】
【請求項１】
排水栓と固定具を備えたシ−ト状水槽４と座椅子１等の一部位とを一体に成形して、既設浴槽６内に入れ、入浴者が水深を浅くした状態で入浴を可能とすることを特徴とする入浴具。
【発明の詳細な説明】
【技術分野】
【０００１】  本発明は、入浴者が浴槽内にて、水深を浅くした状態で座するために使用するバスチェア−、バスシ−ト、浴槽台等に関する。
【背景技術】
【０００２】  一般住宅に設備されている浴槽は、首まで沈めて入浴する水深が深い構造となっている近年、入浴健康法への関心が高く、その一例として、入浴時身体への水圧負担の少ない半身浴が注目されている。【０００３】  上記のような消費者志向に合わせて、ベンチスペ−ス付き浴槽が開発され、またはバスチェア−、バスシ−ト等を浴槽内に持ち込み対応が取られている。
前者は大型浴槽となるので、家屋の新築時または改装時等の浴槽更新に待たなければならない。また、浴槽内でバスチェア−等を使用する場合は、浮力があるため脚底に吸盤をつけて浴槽底部に固定する手段が取られている。この場合、浴槽底部に平滑性が必要となり浴槽の材質と構造に制約があり、重量も小型のもので２〜３キログラムとなり高齢者や子供の取り扱いには注意が必要となる。
また、介護用の入浴具には、浴槽出入り動作を補佐するものとして、浴槽上縁に設置して浴槽内へ上下に操行する電動昇降機によるバスリフト等がある。
【発明の開示】
【発明が解決しようとする課題】
【０００４】  成人の疲労回復、若年層の健康と美容、高齢者の保健と予防、疾病者・要介護者の安全温浴等々、入浴が単なる身体の洗浄や衛生管理面にウエイトをおいた従来の観点から、健康効果を目的とした入浴習慣の改善に関心が高まりつつある。【０００５】  これらについて共通するものは、入浴者個々の状況に応じ調節された温度で比較的長時間の入浴による温熱効果への期待である。この場合、浴槽内の水圧を低くして、心臓、血圧への負担を考慮した入浴方法をとることが必要である。本発明は、一般家庭で使われている現存の浴槽で、この目的を達する手段を提供するものである。
【課題を解決するための手段】
【０００６】  一般住宅で使われている浴槽は、水深が概５００〜５５０ミリであり、成人でも浴槽の底に座して入浴した場合には、首の近くまで湯水に浸かる状態となる。
この場合、水圧負担を軽くしてなおかつ入浴による温熱効果を両立させることが望ましい。【０００７】  一般的浴槽内で、水圧の負担を軽くする中腰状態の姿勢がとれる手段として、図１に示すような座椅子等の利用がある。この座椅子は、腰掛け部分の表面とシ−ト状水槽とが空間的に一体構造となるように仕上げることにより座椅子自体は水槽外に位置することとなるので、水中の浮力による影響を回避することができる。したがって、極めて軽量な中空仕上げの座椅子であっても浴槽内に定置して利用することが可能となる。
【発明の効果】
【０００８】  本発明により、くつろいだ姿勢で椅子に座した状態での入浴が可能となる。
入浴具は、総じて硬質材により成形されるなかにあって、本発明は中空体の座椅子を使用するため、柔軟性に富み安息度合いが高く高齢者、要介護者等にも適合性があり、また長期間使用しても浴槽へ損傷を及ぼす危惧はない。
一般に、半身浴は上半身を湯水から露出するため、冬季の利用には不向きであるが、本発明では上半身も浅く湯に浸かる状態となるので、年間を通して使用が可能である。
座椅子の座面両脇に肘掛け台をつけたり、ヘッドレスト等を用いた場合は、入浴者の体位を安定することができ、介護用の入浴具としても有効となる。
また、本発明は既設浴槽とシ−ト状水槽との二重構造となるため、既設浴槽や風呂釜等に影響を及ぼさず、多様な入浴剤を自由に使用することができアロマテラピ−に通じ、家庭における入浴行為の幅を広げることとなる。
【発明を実施するための最良の形態】
【０００９】  本発明の実施の形態は、次のとおりである。【００１０】  図１は本発明の斜視図であり、図２は既設浴槽内に置いた使用例の縦断面図、図３は本発明の使用前後における収納状態を示すものである。【００１１】  一般家庭用浴槽のサイズは、略次のとおりである。
各内径は、長さ１０００〜１２００ミリメ−トル、幅６００〜６５０ミリメ−トル、水深５００〜５５０ミリメ−トルである。シ−ト状水槽は、既設浴槽の内径に添った形状で上記を集約したサイズを標準とし、コ−ナ−にまちを入れて若干の調整を可能とする。【００１２】  既設浴槽とシ−ト状水槽との間に介在する物体は、腰かけ台、ベンチ式台、背もたれ椅子等が考えられる。【００１３】  図１の入浴具は、座椅子１の座面と同下部、背面の各表面を、ビニ−ル等の材質からなるシ−ト状水槽４の内壁の一部として構成すべく、同座椅子の左右側面およびと底面と水槽を結合する。座椅子の前方向が水槽となり、座椅子自体は水槽と浴槽との間に介在することになるので、浮力の影響圏外となり中空体の座椅子でも使用が可能となる。座椅子内部の空気層を多重にすることにより、座高の高さや背面の傾斜角度の調節ができる。【００１４】  図２により実施例を示すと次のとおりである。
先ず、既設浴槽の排水栓を開いた状態にすることが必要である。使用前のシ−ト状水槽は図３の状態である。広げながら既設浴槽内に入れ、浴槽の給湯カラン口に水槽部を置き反対方向に座椅子が来るように置く。空気ポンプ等により、座椅子の空気注入口２から空気を注入して椅子が使用可能状態とする。次に、水槽部分を浴槽内に広げ、水槽の上縁外側にある吸盤等で出来た固定具３を、浴槽の内壁面に定着する。水槽上縁部には重量負担は殆どなく、内方への屈折を防止するのみである。そして、水槽内に適量の給湯をすることにより事前準備が完了する。入浴後は、水槽底部にある排水栓を開き湯水を抜く。同排水栓には水量調節弁をつけることができる。続けて使用する場合は、内部を洗浄するにとどめる。終結するときは、水槽と座椅子部分を洗浄し水槽の固定具を浴槽から取り外し、平板状にして折りたたみ図３の状態で収納する。
【図面の簡単な説明】
【００１５】
【図１】本発明の透視斜視図である。
【図２】本発明の使用時縦断面図である。
【図３】本発明の収納状態の斜視図である。
【符号の説明】
【００１６】  １  座椅子
２  空気注入口
３  固定具
４  シ−ト状水槽
５  排水栓
６  既設浴槽
【図１】
2007117699.tif 000003
【図２】
2007117699.tif 000004
【図３】
2007117699.tif 000005
(57)【要約】【課題】従来の香り発生装置は、同じ香りを拡散し続ける為、香りが充満、香料が劣化などの不具合があった。また、従来の脱臭装置は、全体の空気を脱臭する為に、特定方向の香りを脱臭できなかった。【解決手段】本発明では、センサ及びコントローラ付き香り噴霧装置に脱臭装置を併設、同時制御する事で、香りの充満を防ぎ、任意の時間、任意の方向への香りの発生ができる。更に、センサ及びコントローラ付き脱臭装置では、センサがある為に、特定方向の脱臭が可能となる。【選択図】  図１
2007117691.tif 000002
【特許請求の範囲】
【請求項１】
香り噴霧装置において、脱臭源を同時にコントローラにつなげる事により、任意の時間、任意の方向に、香りを噴霧ならびに脱臭が平行してできる装置。
【請求項２】
センサ付き香り噴霧装置において、脱臭源を同時にコントローラにつなげる事により、任意の時間、任意の方向に、香りを噴霧ならびに脱臭が平行してできる装置。
【請求項３】
センサ、コントローラ、脱臭源、電磁弁を接続する事により、任意の時間、任意の方向の香りを脱臭する装置。
【発明の詳細な説明】
【技術分野】
【０００１】  本発明は、香り発生装置に脱臭機構を付加、さらにセンサを利用する事によって、新鮮な香りを一定の志向性を持って提供する装置に関するものである。
【背景技術】
【０００２】従来の香り発生は、主に、香り源をいれたビンなどから香りを発生させる装置、精油などの揮発を利用して香りを発生させる装置、香り源を通った空気を出すことにより、香りを周囲に発生させる装置に行われていたが、脱臭装置を備えていなかった。従って、香りが充満する、香りが劣化する、人に不快を与えるなどの問題点が存在し、公共の場所などへは普及しなかった。【０００３】さらに、従来の脱臭技術である、脱臭素を入れたビンなどを配置する、消臭剤をスプレーなどで人が能動的に巻く、扇風機などで、香りを拡散させる等の方法を効果的に組み合わせる事は、香り粒子の拡散性から困難であった。
【発明の開示】
【発明が解決しようとする課題】
【０００４】従って、方向が定まった劣化の無い香りを提供しようとしても、実現できず、人間の五感の一つである、嗅覚へのアプローチは、限定されていた。本発明は、志向性を保ち、劣化無く嗅覚にアプローチを行う為のシステムである。また、一定方向からの悪臭を脱臭する装置が今まで開発されていなかった。本発明では、香り発生装置を取り外し、脱臭装置とセンサのみで使用する事により、方向性のある悪臭の脱臭も可能にする。
【課題を解決するための手段】
【０００５】いま、その構成を説明すると、
（イ）人間や、ある定められた方向、および、香りの存在、香りの方向を、１のセンサが認識する。このセンサには、赤外線センサ、ＲＦＩＤセンサ、カメラ、化学センサが使用できる。
（ロ）２のコントローラが１からの情報を処理
（ハ）（ロ）の情報が３エアポンプ、４香り源，５電磁弁に伝達され、香りが噴霧されると同時に、（ロ）の情報に基づく脱臭情報が、６エアポンプ、７脱臭源、８電磁弁に伝達され、香料に適した脱臭用の気体が噴霧される。（ロ）の情報は５および８に伝達されるだけでも、上記の仕組みが実現可能である。【０００６】ここで、３、４、５の順番は問わず、６，７，８の順番も問わない。３，４，５を一セットとした香り源は何個あっても構わない。その場合には、コントローラにより、数種類の香りの濃度、時間の調節が可能となる。更に、６，７，８の脱臭装置のみにすることにより、センサを使用した脱臭装置が可能となる。【０００７】５の香り源には香料、６の脱臭源には、シリカゲルやオゾン、化学薬品など、香料、場所に応じたものとする。【０００８】  脱臭の仕組みは、
（甲）消臭剤あるいは脱臭素を混ぜた気体を噴霧する
（乙）脱臭源を通った気体を噴霧する
（丙）香りの充満している範囲に向かって、香りを拡散させるように空気を噴霧する
のいずれかである。
【発明の効果】
【０００９】本発明は、以上の構成を有する、志向性のある香り放出と脱臭を同時に行う事が可能なシステムであって、閉鎖空間であっても、香りが充満し続けず、常に新鮮な香りの提供が可能になる。更に、数ユニットの香り発生源を設ける事で、直前に噴霧した香りを脱臭、次の香りへの影響を極めて低くおさえ、状況に応じた濃度、方向、異なる香りが提供できる。【００１０】本発明において、香り源をつけない場合は、志向性のあるセンサ付き脱臭装置となり、特定の悪臭のみを脱臭する事が可能になる。
【発明を実施するための最良の形態】
【００１１】ここでは、最も好ましい例として、香りの広告利用を持って説明する。今まで、地下鉄構内の通路などでは、香りが充満する、香りが拡散する、人のいない時間にも噴霧が行われ、香料の無駄になるといった理由から、香りの広告利用が困難であった。本発明を使用した場合、脱臭も同時に行う為に、香りは充満せず、また、センサを同時に用いる事で香りの志向性及び無駄の無い香料の利用が可能になる。従って、広告媒体に香りという新しい市場が産生する。【００１２】香りが発生している部分にのみ脱臭素を出す事が可能である為に、トイレ使用後に便器内のみの脱臭が可能となり、脱臭速度が大幅に削減できる。【００１３】車のスピードメーターに連動すると、任意の時間に、任意の方向に対して、脱臭ならびに刺激的な香りを噴霧出来、高速度の注意喚起となる。
【図面の簡単な説明】
【００１４】
【図１】  本発明システムの機構
【符号の説明】
【００１５】１…センサ
２…コントローラ
３…エアポンプ（香り源用）
４…香り源
５…電磁弁（香り源用）
６…エアポンプ（脱臭源用）
７…脱臭源
８…電磁弁（脱臭源用）
【図１】
2007117691.tif 000003
(57)【要約】【課題】  ベルト等に取り付け、収納、取り出しを円滑に行う機能を持たせた携帯電話ホルダーを提供する。【解決手段】滑り止め樹脂を一部塗着させた本体（１）とバンド部（２）間において素材の弾性による圧力と滑り止め樹脂の摩擦により挟み込んだ携帯電話機を保持することを特徴とする。【選択図】  図１
2007117693.tif 000002
【特許請求の範囲】
【請求項１】
弾性を有する係止舌部（４）とフック（３）からなる本体（１）に輪状のバンド（２）を組み合わせ、携帯電話機を挟み込み保持させる携帯電話ホルダー。
【請求項２】
本体（１）と輪状のバンド（２）の一部に滑り止めのために樹脂を塗着させた請求項１の携帯電話ホルダー
【発明の詳細な説明】
【技術分野】
【０００１】  この発明は、ベルト等に取り付け、収納、取り出しを円滑に行う機能を持たせた携帯電話ホルダーに関するものである。
【技術背景】
【０００２】  従来の携帯電話ホルダーは、携帯電話機を包み込む構造であり、保持と落下防止のために蓋、またはベルトで固定する方式をとっている。
【発明の開示】
【発明が解決しようとする課題】
【０００３】  そのために、次のような欠点があった。
（イ）近年、携帯電話機の機能の充実により容積、重量が増大したことによりホルダー自体のサイズも大きくなり、見た目も悪く嵩張るため装着しづらいものであった。
（ロ）構造的に収納、取り出しに時間がかかり、頻繁に出し入れを行う使用者には使用し難い物であった。
（ハ）蓋、またはベルトの止め具を施錠し忘れた場合に簡単に落下する恐れがあった。
本発明は、これらの欠点を解決するためになされたものである。
【課題を解決するための手段】
【０００４】  弾性を有する係止舌部（４）とフック（３）からなる本体（１）に輪状のバンド（２）を組み合わせ、さらに係止舌部（４）の表面とバンド（２）の内側の一部に滑り止め用の樹脂を塗着させる。
本発明は、以上の構成からなる携帯電話ホルダーである。
【発明の効果】
【０００５】  携帯電話ホルダーをフックによりベルト等に引っ掛けて装着するため携帯電話ホルダー本体の脱着が容易になる。また携帯電話機を素材の弾性による圧力と、滑り止め樹脂との摩擦によって保持する構造としたことにより、保持のための蓋、ベルトが不要となり収納、取り出しが飛躍的に容易となる。なおかつ構造が簡素化されることによりホルダー自体のサイズを小さくすることが可能となる。そしてベルトを輪状にする事で携帯電話機の様々な形状に対応でき、許容外のサイズについてもベルトのサイズを大きなものと差替えることにより対応ができる。総じて携帯電話ホルダーの容易な装脱着、携帯電話ホルダーのコンパクト化による携帯性の向上、携帯電話機の保持と容易な出し入れを実現することにより、携帯電話機の利便性を向上させることができる。
【発明を実施するための最良の形態】
【０００６】  以下、本発明の実施の形態について説明する。
（イ）本体（１）は反発する素材からなる板を適当な箇所より折曲させ、装着用のフック（３）、落下を防ぐツメ部（５）を有する係止舌部（４）を設ける。
（ロ）本体（１）の係止舌部（４）の表面の一部に滑り止め樹脂の塗着箇所を設ける。
（ハ）本体（１）のバンド受け部と本体の間に輪状のバンド（２）を挟みこむ。
（ニ）バンド部（２）の内側の一部に滑り止め樹脂塗着箇所を設ける。
【実施例】
【０００７】  本発明は以上のような構成でこれを使用するときは、本体（１）の装着用フック部（３）をベルト等に引っ掛け装着し、携帯電話機をバンド部（２）の上部から通過させ、本体（１）の係止舌部（４）に押し当てながら挿入すると弾性のある本体（１）の係止舌部（４）とバンド部（２）の間の圧力と、係止舌部（４）の表面とバンド部（２）の内側に塗着されている滑り止め樹脂の摩擦によって携帯電話機は保持される。
そして取り出す際には携帯電話機を本体（１）の係止舌部（４）に押し付けながら上方向に引き出す。
【図面の簡単な説明】
【０００８】
【図１】携帯電話ホルダーを示した斜視図である。
【図２】携帯電話ホルダーを示した側面図である。
【図１】
2007117693.tif 000003
【図２】
2007117693.tif 000004
(57)【要約】      （修正有）【課題】窓ガラス等の表面の汚れ取りを簡単に行なえ、着脱式の不織布製シート交換も容易に行なえるようにしたハンドガラス拭きを提供する。【解決手段】長辺の４隅に長孔（７）を設けたハンドガラス拭き本体（１）と可動部（６）で柄（２）に接し、本体（１）の下部に接着時に長孔（７）と同じ場所になる位置にスポンジスリット部（８）を設けたスポンジ部（３）、スポンジ部（３）の下部に布製面ファスナー（４）のオス面をそれぞれ接着させたことを特徴とする。【選択図】図１
2007117698.tif 000002
【特許請求の範囲】
【請求項１】
長辺の４隅に長孔（７）を設けたハンドガラス拭き本体（１）と可動部（６）で柄（２）に接し、本体（１）の下部に接着時に長孔（７）と同じ場所になる位置にスポンジスリット部（８）を設けたスポンジ部（３）、スポンジ部（３）の下部と布製面ファスナー「通称マジックテープ」（４）のオス面をそれぞれ接合させたハンドガラス拭き。
【発明の詳細な説明】
【技術分野】
【０００１】  本発明は、窓ガラス等の表面の汚れを簡単に行なえ、着脱式のシート交換も容易に行なえるようにしたハンドガラス拭きに関するものである。
【背景技術】
【０００２】  従来から窓ガラスの汚れ取りの清掃用具として雑巾が多く使用されている。雑巾は汚れるたびにバケツ等に汲んだ水にて洗浄して何回も使用することが出来たが、特に水が冷たい冬の作業は大変であった。又、水のない場所での作業には向いていなかった。【０００３】  そのような中で、商品名「クイックルワイパー」（商標文献１参照）に代表される不織布シートを利用した着脱可能な清掃用具（特許文献１参照）を応用したガラス拭きなども多数市販されている。
【商標文献１】
【０００４】登録番号：第４８３８１６１号        登録日：２００５年２月１０日
公開日  ：２００４年８月５日        出願日：２００４年７月１４日
権利者の氏名又は名称：花王株式会社
権利者の住所又は居所：東京都中央区日本橋茅場町１丁目１４番１０号
【０００５】
【特許文献１】出願番号：実用新案出願平５−８９３２  出願日：１９９３年２月１０日  公開番号：実用新案公開平６−６２９６０  公開日：１９９４年９月６日  出願人  ：花王株式会社  考案者：平原  穂積  考案の名称：清掃用具
【発明の開示】
【発明が解決しようとする課題】
【０００６】  しかしながら市販されているガラス拭きは全て汚れが取りきれていないのが現状である。つまり汚れを付着させるための不織布シートが、ガラス表面の汚れをしっかりと押さえ込まずに上面を単に移動するだけとなる場合が多く、大きな汚れや汚れの上の部分のみを取り除く程度であった。本発明はこれらの問題点を解消して窓ガラスの汚れを根こそぎ取り除く事が出来るハンドガラス拭きを提供することを課題とする。
【課題を解決するための手段】
【０００７】  この課題を解決するための手段として、長辺の４隅に長孔（７）を設けたハンドガラス拭き本体（１）と可動部（６）で柄（２）に接し、本体（１）の下部に接着時に長孔（７）と同じ場所になる位置にスポンジスリット部（８）を設けたスポンジ部（３）、スポンジ部（３）の下部に布製面ファスナー「通称マジックテープ」（商標文献２参照）（４）のオス面をそれぞれ接着させる。
本発明は以上の構成よりなるハンドガラス拭きである。
【商標文献２】
【０００８】登録番号：第１３２８１６３号        登録日：１９７８年３月２２日
公告日  ：１９７７年８月２３日      出願日：１９７３年１２月４日
権利者の氏名又は名称：株式会社クラレ
権利者の住所又は居所：倉敷市酒津１６２１番地
【発明の効果】
【０００９】  窓ガラス等の清掃時に本発明のハンドガラス拭きを使用すれば、表面に付着した大きな汚ればかりでなくこびりついた汚れも、布製面ファスナー（４）のオス面における鈎状突起部が不織布製シート（５）を直角に押すことになり不織布製シート（５）に汚れが隅々まで取れることになる。又、可動部（６）を設けたことにより、柄（２）の角度を必要に応じて曲げることが出来るので狭いところや手の入りにくい場所の汚れも取ることが出来るようになる画期的なハンドガラス拭きということが出来る。
【発明を実施するための最良の形態】
【００１０】（イ）ハンドガラス拭き本体（１）の上面の長辺の４隅部分に、不織布製シート（５）を入れるための長孔（７）を設けたハンドガラス拭き本体（１）と、前後に３段階左右に３段階に可動可能にするために設けた可動部（６）で持ち手部分の柄（２）と接合させる。
（ロ）ハンドガラス拭き本体（１）の下面に、接着した時に長孔（７）と同じ場所になる位置に不織布製シート（５）を固定させるための４箇所のスポンジスリット部（８）を設けたスポンジ部（３）を接合させる。
（ハ）スポンジ部（３）の下面に布製面ファスナー（４）のオス面をオス面が下向きになる位置に接合させる。
本発明は以上の構成よりなる。【００１１】  これを使用する時は、本発明のハンドガラス拭きの下に広げた不織布製シート（５）を真ん中に置き、不織布製シート（５）の一つの隅を持ってスポンジスリット部（８）に差し込む。同様に後の３箇所も差し込んで本体（１）と不織布製シート（５）を一体化させる。窓ガラスの清掃したい部分に不織布製シート（５）を押し当てて使用する。
【実施例】
【００１２】  狭い場所での使用の際は、柄（２）を本体（１）の長辺方向に倒して使用する。また不織布製シート（５）が使用して汚れた場合は、汚れていない部分を本体（１）の下側に来るようにすれば有効に使用する事が出来る。
【図面の簡単な説明】
【００１３】
【図１】      本発明のハンドガラス拭きの正面図
【図２】      本発明のハンドガラス拭きの平面図
【図３】      本発明のハンドガラス拭きの使用の状態を表す斜視図
【符号の説明】
【００１４】  （１）      本体
（２）      柄
（３）      スポンジ
（４）      布製面ファスナー
（５）      不織布製シート
（６）      可動部
（７）      長孔
（８）      スポンジスリット部
【図１】
2007117698.tif 000003
【図２】
2007117698.tif 000004
【図３】
2007117698.tif 000005
(57)【要約】【課題】ペットの砂骨をアクセサリーとして身につけるペットの砂骨容器を提供する。【解決手段】開閉可能な容器の外表面にペットの砂骨収納部を設け、容器内部に写真収納部及びネーム等刻印部を設け、容器に首掛け部材を設け、容器外表面部の周りに装飾材を施し、砂骨収納部に砂骨保護部材を設けたことを特徴とするペットの砂骨容器。【選択図】図１
2007117697.tif 000002
【特許請求の範囲】
【請求項１】
開閉可能な容器の外表面にペットの砂骨収納部を設け、容器内部に写真収納部及びネーム等刻印部を設けたことを特徴とするペットの砂骨容器。
【請求項２】
容器に首掛け部材を設けたことを特徴とする請求項１記載のペットの砂骨容器。
【請求項３】
容器外表面に装飾材を施すことを特徴とする請求項１あるいは請求項２記載のペットの砂骨容器。
【請求項４】
砂骨収納部に砂骨保護部材を設けたことを特徴とする請求項１、請求項２、請求項３記載のペットの砂骨容器。
【発明の詳細な説明】
【技術分野】
【０００１】  本発明は、ペットの砂骨をアクセサリーとして身につけるためのペットの砂骨容器である。
【背景技術】
【０００２】  従来、亡き人の砂骨を位牌として提供する発明が知られている。（特許文献１参照）
【特許文献１】特開平９−２７１４３８号公報
【発明の開示】
【発明が解決しようとする課題】
【０００３】  そのために、次のような問題点があった。
亡き人の葬儀・遺骨・仏具・位牌等は存在するが、家族の一員として安らぎを与えてくれたペットも供養してあげたいものである。従っていつも身につけて癒してくれるものが望まれる。
本発明は以上の問題点を解決しようとするものである。
【課題を解決するための手段】
【０００４】  開閉可能な容器の外表面にペットの砂骨収納部を設け、容器内部の任意の箇所に写真収納部及びネーム等刻印部を設け、容器に首掛け部材を設け、容器外表面に装飾材を施し、砂骨収納部に砂骨保護部材を設けたことを特徴とするペットの砂骨容器。
【発明の効果】
【０００５】  砂骨を宝石等と一緒に取り付けることで、外表面に取り付けても骨というイメージを直接的に感じさせることがなく、外表面に砂骨保護部材を設けることで砂骨を保護することができ、常に砂骨と一緒にいるという一体感を感じることができる。
ネーム等の刻印や、写真等を内部に収納することでアクセサリー的な物として携帯することに抵抗感を与えないため位牌や仏具といったイメージを一切持たせることもなく、携帯することが可能である。
【発明を実施するための最良の形態】
【０００６】  以下、本発明の実施の形態について説明する。
（イ）本体表部（１）と本体背部（９）は貴金属等で開閉できるようセ接合する。
（ロ）砂骨（３）は真珠のように白く輝くように加工し、半円形のプラスチック容器、又はガラス容器等同材質の砂骨保護部材（４）を有する砂骨収納部（５）に封入される。
（ハ）宝石等装飾品（６）は本体表部（１）の砂骨収納部（５）のまわりにとりつける。
（ニ）容器内部のネーム等刻印部（１０）にペット名・命日・年齢等を刻印等により表示する。ネーム等刻印部（１０）は単にネーム等表示部としても構わないし、ネーム等刻印部（１０）や写真収納部（１２）は容器内部に設けてあれば、本体表部（１）と本体背部（９）でも、又本体背部（９）の外表面でも構わない。
（ホ）容器内部の写真収納部（１２）に写真（１１）を収め本体背部（９）に固着する。
（ヘ）首掛け部材（８）を本体表部（１）等のとりつけ穴（７）に通し使用する。
本発明は以上のような構成でこれを使用するときは、本体表部（１）の中心部に砂骨（３）を収めた砂骨保護部材（４）を有する砂骨収納部（５）をとりつけそのまわりに宝石等装飾品（６）を固着する。
本体表部（１）と本体背部（９）を閉じてとりつけ穴（７）に首掛け部材（８）を通し首に掛ける。
（図１）はペンダントを例にしてみたが小型化してブローチ・キーホルダ−・携帯ストラップ・リング・イヤリング等他の装飾品にもすることができる。
【図面の簡単な説明】
【０００７】
【図１】本発明の正面図
【図２】本発明の側面図
【図３】本発明の内部図
【符号の説明】
【０００８】１    本体表部
２    接合部
３    砂骨
４    砂骨保護部材
５    砂骨収納部
６    宝石等装飾品
７    とりつけ穴
８    首掛け部材
９    本体背部
１０  ネーム等刻印部
１１  写真
１２  写真収納部
【図１】
2007117697.tif 000003
【図２】
2007117697.tif 000004
【図３】
2007117697.tif 000005
(57)【要約】      （修正有）【課題】従来の浴室内のカガミはくもるのが普通と思われて来たが本発明によって完全にくもりのないカガミを提供する。【解決手段】カガミの裏側に湯をためるポケットのあるプラスチック枠３を取り付け,給湯口１より湯を入れて、カガミをあたため、くもりを取ることを特徴とした。【選択図】図２
2007117701.tif 000002
【特許請求の範囲】
【請求項１】
カガミの裏側を湯であたため、カガミのくもりを取る装置
【発明の詳細な説明】
【技術分野】
【０００１】  この発明は、浴室内のカガミの裏側に湯を入れるポケットを作りカガミをくもらなくした。浴室カガミである。
【背景技術】
【０００２】  従来の浴室内のカガミは湯をかけたり石けん水や油をぬってもくもりはすっきり取れなかった。
【発明の開示】
【発明が解決しようとする課題】
【０００３】  浴室内のカガミのくもりを完全に取ること。
【課題を解決するための手段】
【０００４】  カガミの裏側に湯をためるポケットのある、プラスチックの枠を装置し。給湯口（１）より湯をポケットに充てんする。
【発明の効果】
【０００５】  発明は以上のような構造でカガミのくもりが完全になくなります。使用後は湯を抜くネジ（２）をゆるめ湯を抜きます。
【発明を実施するための最良の形態】
【０００６】  以下本案の実施形態について説明する。本案のカガミを浴室壁に取り付け浴槽内の湯を入れて使用する。
【図面の簡単な説明】
【０００７】
【図１】  本発明の正面図である。
【図２】  本発明のＡ〜Ａの断面図である。
【符号の説明】
【０００８】（１）給湯口  （２）湯を抜くネジ  （３）プラスチック枠
【図１】
2007117701.tif 000003
【図２】
2007117701.tif 000004
(57)【要約】【課題】圧接コネクタは電線との接続作業で接続部が変形してしまうため、コネクタの再利用ができない。【解決手段】電線を挟み込むための２つのバネ性コンタクトから成る圧接コネクタであって、コンタクトの内側の電線との接続箇所に電線の芯線の大きさに応じた芯線接触穴と被覆を破るための刃を有し、カバーには、コンタクトの広がり時の幅よりも狭い間隔で突起を有し、カバーの装着時に、前記突起によりコンタクトが誘い込まれ、突起の幅まで押し込まれ、カバーの脱着動作により芯線接触穴の開閉動作を行い、電線との接続、未接続を切り換える構造を備える。【選択図】  図２
2007220567.tif 000002
【特許請求の範囲】
【請求項１】
電線を挟み込むための２つのバネ性コンタクトから成る圧接コネクタであって、コンタクトの内側の電線との接続箇所に電線の芯線の大きさに応じた芯線接触穴と被覆を破るための刃を有し、カバーには、コンタクトの広がり時の幅よりも狭い間隔で突起を有し、カバーの装着時に、前記突起によりコンタクトが誘い込まれ、突起の幅まで押し込まれ、カバーの脱着動作により芯線接触穴の開閉動作を行い、電線との接続、未接続を切り換える構造を備えた圧接コネクタ。
【請求項２】
請求項１記載の圧接コネクタを使用するワイヤーハーネス。
【発明の詳細な説明】
【技術分野】
【０００１】
本発明は、再利用可能な圧接コネクタに関するものである。
【背景技術】
【０００２】
コネクタと電線の接続方式の一つである圧接は、電線の被覆を取らないでコネクタと電線を接続できることから、小型で多極のコネクタを中心に利用されることが多い。使用する電線も細径化される。
【０００３】
その結果として、圧接時のコネクタとケーブルの位置精度の向上が要求される。そうでない場合に、電線の断線等の接続作業不良が起こることがある。
【０００４】
従来の圧接コネクタはコンタクトに設けたＵ字形の溝に電線を圧入することで、電線の被覆を破り、コネクタとの接触を得る構造であり、接続作業に失敗してしまうとコネクタを交換する必要があった。
【０００５】
【特許文献１】特開平６−２６０２２０号
【発明の開示】
【発明が解決しようとする課題】
【０００６】
解決しようとする問題点は、圧入式コネクタは電線との接続作業で接続部が変形してしまうため、コネクタの再利用ができないことである。
【課題を解決するための手段】
【０００７】
この課題を解決するために、本発明のコネクタには、コンタクトの電線との接続箇所に電線の芯線の大きさに応じた芯線接触穴と被覆を破るための刃が付いており、カバーの着脱で穴の開閉動作を行い、電線との接続、未接続を切り換える。
【０００８】
カバーには、コンタクトバネの幅よりも狭い間隔で突起を設ける。又、突起の先端には、コンタクトバネを誘い込めるよう、コンタクトバネ幅よりも広くして、面取りしておく。
【０００９】
カバー装着時に、コンタクトバネは突起の幅まで変化し、被覆の切断、芯線の接触を行うことができる。カバーを脱着すると、コンタクトバネ自身のバネ性で元の位置に戻る。
【発明の効果】
【００１０】
本発明のコネクタはコンタクトバネの開閉により電線との接続、未接続状態を変更できるため、コネクタと電線の接続に失敗したとしても、コネクタを交換せずに再利用できる。
【発明を実施するための最良の形態】
【００１１】
コネクタのコンタクトバネそのものに電線被覆切断用の刃を設けることで、再度、接続作業を行う際に、コネクタを再利用することができる。
【実施例１】
【００１２】
図１は本発明コネクタを使用した実施例の概略図でコンタクトバネ１とハウジング４で構成される。５はハウジングに設けた電線７の電線位置決め用の溝である。
【００１３】
図２は本発明コネクタのコンタクトバネの概観図であり、電線７を挟み込むため、コンタクトバネ１の内側に芯線の大きさに応じた接触用穴２と電線７と接触する箇所に被覆を破るための刃３を設ける。
【００１４】
次に、コネクタと電線の接続作業について説明する。
【００１５】
まず全ての電線を接続対象のコンタクトバネ１の中間を通し、電線位置決め溝５に仮固定する。
【００１６】
次に図３に示すカバー６を装着する。カバー６には突起を設け、カバー６の装着時には、突起によりコンタクトバネが誘い込まれ、突起の幅まで押し込まれる。この結果、コンタクトバネ両端で形成される接触穴は小さくなり、図４のように、刃が被覆を破ることで芯線と接続することができる。
【００１７】
カバー６を脱着するとコンタクトバネ自身のバネ性で元の位置までコンタクトバネが広がり、電線を取り外し、コネクタを交換せずに再接続が可能となる。
【００１８】
本発明コネクタを使用することにより、再利用可能なワイヤーハーネスを実現することも可能となる。
【図面の簡単な説明】
【００１９】
【図１】本発明コネクタの外観図である。
【図２】本発明コネクタのコンタクトバネの外観図である。
【図３】コンタクトバネにカバーを取り付ける前の正面図である。
【図４】コンタクトバネにカバーを取り付けた後の正面図である。
【符号の説明】
【００２０】
１    コンタクトバネ
２    電線芯線接触穴
３    電線被覆切断用刃
４    コネクタハウジング
５    電線位置決め溝
６    コネクタカバー
７    電線
【図１】
2007220567.tif 000003
【図２】
2007220567.tif 000004
【図３】
2007220567.tif 000005
【図４】
2007220567.tif 000006